(57)【要約】【課題】金型から鋳物が抜き出し易く、平面租度及び電気的特性を確保する。【解決手段】この平面スロットアンテナは、電波送受波面に対し平行に延びる底面１１１  、この底面の両サイドにつながって立ち上り、この底面を挟むように相対向して延びる両側壁面１１２  、及び底面１１１  の終端部分につながって立ち上り且つ両側壁面１１２  ともつながる終端壁面１１３  を含んで成る導波路１１０  を備えて鋳型形成されるアンテナベース部１００  と、このアンテナベース部の導波路と対応する部分に複数のスリット２１０  が配列形成されてアンテナベース部１００  に固定されるスリット板２００  と、を有する。アンテナベース部導波路１１０  の、底面１１１  と終端壁面１１３  との成す角度を９０度プラス３〜５度とし、底面１１１  と両側壁面１１２  及び終端壁面１１３  との境界線部分の曲率半径を０．５  〜２ｍｍとする。【選択図】        図１
2005020526.tif 000002
【特許請求の範囲】
【請求項１】
一方の面を電波送受波面とする平面スロットアンテナであって、前記電波送受波面に対し平行に延びる底面、この底面の両サイドにつながって立ち上り、この底面を挟むように相対向して延びる両側壁面、及び、前記底面の終端部分につながって立ち上り、かつ前記両側壁面ともつながる終端壁面、を含んで成る導波路を備えて鋳型形成されるアンテナベース部と、
このアンテナベース部の導波路と対応する部分に複数のスリットが配列形成されて前記アンテナベース部に固定されるスリット板と、
を有して成り、
前記アンテナベース部の導波路における、底面と終端壁面との成す角度を、底面と両側壁面との成す角度より大きい９０度プラス３〜５度とし、
底面と両側壁面及び終端壁面との境界線部分の曲率半径を、０．５〜２ｍｍとした、
ことを特徴とする平面スロットアンテナ。
【請求項２】
前記アンテナベース部は、複数の導波路が、それぞれの底面を同一平面上で揃うようにして互いに平行に形成されて成り、
前記スリット板は、前記アンテナベース部の複数本の導波路それぞれと対応する部分に、複数のスリットが配列形成されて成る、
請求項１記載の平面スロットアンテナ。
【請求項３】
請求項１又は請求項２に記載の平面スロットアンテナのアンテナベース部鋳造用金型であって、
そのアンテナベース部導波路の終端壁面と対応する壁面の、抜き勾配を３〜５度とし、
そのアンテナベース部導波路の底面と両側壁面及び終端壁面との境界線と対応する部分の、曲率半径を０．５〜２ｍｍとした、
平面スロットアンテナのアンテナベース部鋳造用金型。
【請求項４】
前記アンテナベース部鋳造用金型の、アンテナベース部を形成する表面に、低摩擦部材をコーティングして成る、請求項３記載の平面スロットアンテナのアンテナベース部鋳造用金型。
【発明の詳細な説明】
【０００１】
【発明の属する技術分野】
本発明は平面スロットアンテナ及びそのアンテナベース部鋳造用金型に関し、特に電波送受波側の面に、この面と平行に配設された導波路を備えて鋳型形成されたアンテナベース部と、このアンテナベース部の導波路と対応する部分に複数のスリットが配列形成されてアンテナベース部に固定されるスリット板と、を有する平面スロットアンテナ及びそのアンテナベース部鋳造用金型に属する。
【０００２】
【従来の技術】
従来のこの種の平面スロットアンテナについて、図面を参照しながら説明する。図３は従来の平面スロットアンテナの一例を示す分解斜視図、図４（ａ），（ｂ）はその導波管型アンテナベース部の斜視部及び部分拡大斜視図である。
この平面スロットアンテナは、電波送受波側の面に複数本の導波路１１０ｘが互いに平行に配列、形成された導波管型アンテナベース部１００ｘと、この導波管型アンテナベース部１００ｘの複数本の導波路１１０ｘそれぞれと対応する部分に、複数のスリット２１０、及び終端スリット２２０ｘが配列形成され、導波管型アンテナベース部１００ｘに、複数本の止めねじ３００で固定されるスリット板２００ｘと、を有する構成となっており、導波管型アンテナベース部１００ｘの、各導波路１１０ｘの詳細は次のとおりである。
【０００３】
これら導波路１１０ｘは、電波送受波面に対し平行に延びる底面１１１ｘと、この底面１１１ｘの両サイドにつながって立ち上り、底面１１１ｘを挟むように相対向して延びる２つの側壁面１１２ｘ（図４では片方が見えない、矢印の先の破線部分）と、底面１１１ｘの終端部分につながって立ち上り、かつ２つの側壁面１１２ｘともつながる終端壁面１１３ｘとを備えて成り、底面１１１ｘと２つの側壁面１１２ｘ及び終端壁面１１３ｘとの間の境目を、底面境界ライン１１４ｘとする構造となっている。
【０００４】
そして、この導波管型アンテナベース部１００ｘは、固定型及び可動型から成る金型により鋳造されるが、電波送受波側の面は複雑な形状となっているため、摩擦抵抗が大きくなる。このような場合、この面側を可動型とし、鋳物を金型から取り出すための押出しピンを付けることが一般的であるが、押出しピンの跡が凹凸として表面に付いてしまう。しかしながら、電波の通り道となる導波路の表面は、その平面租度が厳しく要求されるため、このような凹凸は許されない。従って、電波送受波側を固定型とし、その裏面側を可動型とすることになる。
【０００５】
このような金型で導波管型アンテナベース部１００ｘ（以下、鋳物ともいう）を鋳造する場合、金型に注入された湯が凝固する際に収縮して固定型に鋳物が残り不良品となったり、鋳造後に切削加工するなどの処理が必要と成り、また、収縮により、金型から鋳物が抜き難くなるため、金型の、導波路１１０ｘの両側壁面１１２ｘ及び終端壁面１１３ｘ形成面には、通常、１〜１．５度程度の抜き勾配をつけている（例えば、非特許文献１参照）。
【０００６】
【非特許文献１】
太田信之著、「ダイカスト」、日刊工業新聞社、ｐ．２１３〜２１４
【０００７】
これに伴って、導波管型アンテナベース部１００ｘ導波路１１０ｘの、両側壁面１１２ｘ及び終端壁面１１３ｘが底面１１１ｘと成す角度∠α，∠βも、９０度プラス１〜１．５度程度になる。
【０００８】
【発明が解決しようとする課題】
上述した従来の平面スロットアンテナは、導波管型アンテナベース部１００ｘとスリット板２００ｘと、を有し、導波管型アンテナベース部１００ｘには複数本の導波路１１０ｘが互いに平行に配列、形成されていて、これら導波路１１０ｘそれぞれが、底面１１１ｘ、この底面１１１ｘとつながって立ち上る、両側壁面１１２ｘ及び終端壁面１１３ｘを備えて成り、この導波管型アンテナベース部１００ｘは、鋳型形成される構成となっており、この鋳型形成時に、金型（鋳型）に注入された湯が凝固する際収縮して、金型に鋳物が残りやすく、また、金型から鋳物を取り出しにくくなるため、この金型の、導波路１１０ｘの両側壁面１１２ｘ及び終端壁面１１３ｘを形成する面には１〜１．５度程度の抜き勾配をつけており、これに伴って、導波路１１０ｘの、両側壁面１１２ｘ及び終端壁面１１３ｘが底面と成す角度も、９０度プラス１〜１．５度程度となっている。
【０００９】
しかしながら、導波路１１０ｘの長手方向の収縮量は、両側壁面１１２ｘ間よりも大きくなるため、この程度の抜き勾配ではその摩擦抵抗も大きく、金型に鋳物が残る危険性が高く、また金型から鋳物が抜きにくくなって、平面租度の規定を確保できなくなると共に電気的特性も悪化する、という問題点がある。
【００１０】
本発明の目的は、上記従来技術の問題点に鑑みて、金型・鋳物間の摩擦抵抗を低減して金型に鋳物が残る危険性を少なくし、かつ金型から鋳物を抜き出し易くしてその平面租度を確保することができ、良好な電気的特性を得ることができる、平面スロットアンテナ及びそのアンテナベース部鋳造用金型を提供することにある。
【００１１】
【課題を解決するための手段】
上記の目的を達成するための本発明技術手段は、以下の構成を有するものである。
第１の発明の平面スロットアンテナは、一方の面を電波送受波面とする平面スロットアンテナであって、前記電波送受波面に対し平行に延びる底面、この底面の両サイドにつながって立ち上り、この底面を挟むように相対向して延びる両側壁面、及び、前記底面の終端部分につながって立ち上り、かつ前記両側壁面ともつながる終端壁面、を含んで成る導波路を備えて鋳型形成されるアンテナベース部と、
このアンテナベース部の導波路と対応する部分に複数のスリットが配列形成されて前記アンテナベース部に固定されるスリット板と、
を有して成り、
前記アンテナベース部の導波路における、底面と終端壁面との成す角度を、底面と両側壁面との成す角度より大きい９０度プラス３〜５度とし、
底面と両側壁面及び終端壁面との境界線部分の曲率半径を、０．５〜２ｍｍとした、
ことを特徴とする。
【００１２】
また、前記アンテナベース部は、複数の導波路が、それぞれの底面を同一平面上で揃うようにして互いに平行に形成されて成り、
前記スリット板は、前記アンテナベース部の複数本の導波路それぞれと対応する部分に、複数のスリットが配列形成されて成る、構成を有している。
【００１３】
第２の発明の平面スロットアンテナのアンテナベース部鋳造用金型は、前記平面スロットアンテナのアンテナベース部鋳造用金型であって、
そのアンテナベース部導波路の終端壁面と対応する壁面の、抜き勾配を３〜５度とし、
そのアンテナベース部導波路の底面と両側壁面及び終端壁面との境界線と対応する部分の、曲率半径を０．５〜２ｍｍとした、構成を有している。
【００１４】
また、前記アンテナベース部鋳造用金型の、アンテナベース部を形成する表面に、低摩擦部材をコーティングして構成される。
【００１５】
【発明の実施の形態】
本発明の平面スロットアンテナ及びそのアンテナベース部鋳造用金型の一実施の形態は、まず平面スロットアンテナが、
一方の面を電波送受波面とする平面スロットアンテナであって、上記電波送受波面に対し平行に延びる底面、この底面の両サイドにつながって立ち上り、この底面を挟むように相対向して延びる両側壁面、及び、上記底面の終端部分につながって立ち上り、かつ上記両側壁面ともつながる終端壁面、を含んで成る導波路を備えて鋳型形成されるアンテナベース部と、
このアンテナベース部の導波路と対応する部分に複数のスリットが配列形成されて上記アンテナベース部に固定されるスリット板と、
を有して成り、
上記アンテナベース部の導波路における、底面と終端壁面との成す角度を、底面と両側壁面との成す角度より大きい９０度プラス３〜５度とし、
底面と両側壁面及び終端壁面との境界線部分の曲率半径を、０．５〜２ｍｍとした、構成、構造を有している。
【００１６】
この実施の形態における平面スロットアンテナは、そのアンテナベース部が、導波路長手方向終端部分である終端壁面の、底面と成す角度を、両側壁面と底面との成す角度（通常、９０度プラス１〜１．５度程度）より大きい９０度プラス３〜５度とし、しかも、底面と終端壁面及び両側壁面との境界線部分も、通常は２つの面が単に突き合せ状態としているところを、０．５〜２ｍｍの曲率半径を持つように丸みをつけて鋳型形成される構造となっており、従って、このアンテナベース部を形成するためのアンテナベース部鋳造用金型も、アンテナベース部をこのような構造、形状とするために当然、終端壁面部分には３〜５度の抜き勾配を有し、また、底面と終端壁面及び両側壁面との境界線部分に、０．５〜２ｍｍ程度の曲率半径を持つよう、丸みが付けてある。
【００１７】
従って、このアンテナベース部鋳造用金型でアンテナベース部を鋳型形成することにより、金型に注入された湯の収縮量が導波管の長手方向に大きくなっても、終端壁面部分の金型・鋳物間の摩擦抵抗、及び導波管底面と他の壁面との境界線部分の摩擦抵抗を小さくすることができて、金型に鋳物が残る危険性を低減し、かつ金型から鋳物を抜き出し易くすると同時に、その平面租度を設定値内に確保することができ、良好な電気的特性を得ることができる。
【００１８】
【実施例】
次に本発明の実施例について図面を参照して説明する。
図１（ａ），（ｂ）は本発明の平面スロットアンテナの一実施例の、導波管型アンテナベース部部分の斜視図及び部分拡大斜視図、図２はその導波管型アンテナベース部とスリット板との関係を示す分解斜視図である。
この実施例の平面スロットアンテナは、導波管型アンテナベース部１００とスリット板２００とを有して成り、その詳細は次のとおりである。
【００１９】
まず、導波管型アンテナベース部１００は、電波送受波側の面に、電波送受波面に対し平行に延びる底面１１１と、この底面１１１の両サイドにつながって立ち上り、この底面１１１を挟むように相対向して延びる両側壁面１１２（図１では片方が見えない、矢印の先の破線部分）と、底面１１１の終端部分につながって立ち上り、かつ両側壁面１１２ともつながった終端壁面１１３と、を含んで成る導波路１１０が複数本、その底面１１１を同一平面として互いに平行に配列、形成されており、これら導波路１１０における、底面１１１と両側壁面１１２との成す角度∠Ａは、従来例と同様に９０度プラス１〜１．５度であるのに対し、底面１１１と終端壁面１１３との成す角度∠Ｂは、これより大きい、９０度プラス３〜５度となっており、かつ、底面１１１と両側壁面１１２及び終端壁面１１３との境界線部分には、０．５〜２ｍｍ程度の曲率半径Ｒを有して、底面１１１を分割面とする固定型及び可動型から成る金型により、鋳造される。
【００２０】
この導波管型アンテナベース部１００の、導波路１１０配置側の面には、各導波路１１０と対応する部分に、複数本のスリット２１０と、終端壁面１１３と対応する部分に小判型の終端スリット２２０と、が形成されたスリット板２００が、複数本の止めねじ３００により、ねじ止め、固定される。
【００２１】
導波管型アンテナベース部１００は、前述したように、固定型及び可動型から成る金型により鋳造されるが、このアンテナベース部鋳造用金型（以下、単に金型ともいう）は、図示省略されているものの、当然のことながら上記構造、形状とするために、導波管型アンテナベース部１００の複数の導波路１１０形成部分が、その終端壁面１１３形成壁面に３〜５度の抜き勾配を有し、しかも、底面１１１と両側壁面１１２及び終端壁面１１３との境界線部分（底面境界ライン１１４部分）には、０．５〜２ｍｍ程度の曲率半径を持つように、丸みが付けられている。
【００２２】
従って、このようなアンテナベース部鋳造用金型で鋳造される導波管型アンテナベース部１００は、鋳造時には通常、導波路１１０の長手方向にその収縮量が大きくなるが、この導波路１１０長手方向の収縮量が他より大きくなっても、終端壁面１１３部分の抜き勾配が大きいので、この部分の金型・鋳物間の摩擦抵抗を小さくすることができ、しかも、底面１１１と終端壁面１１３及び両側壁面１１２との境界線部分（１１４）は丸みを帯びているので、導波路１１０形成部分における、金型・鋳物間の摩擦抵抗を低減することができて、金型に鋳物、即ち導波管型アンテナベース部１００の一部が残る危険性を低減することができ、しかも、金型から鋳物（１００）を抜き出しやすくなって、導波路１１０を形成する各面の平面租度を規定値内に確保することができ、良好な電気的特性を得ることができる。
【００２３】
なお、終端壁面１１３が底面１１１と成す角度∠Ｂを、従来例の１〜１．５度から、３〜５度と大きくすることにより、指向特性などの電気的特性に影響を及ぼす場合がある。このような場合には、スリット板２００の、終端壁面１１３と対応する、終端スリット２２０に対し、その形状、大きさ、配置位置等を調節して、導波路１１０及び終端壁面１１３との電気的マッチングをはかり、予め設定された電気的特性を確保することができる。角度∠Ｂを５度より大きくすると、摩擦抵抗は小さくなって金型からの抜き出しやすさ、即ち離形性が良くなるが終端スリット２２０の形状、大きさ、配置位置等を調節しても設定された電気的特性が得られなくなる可能性も高くなるので、その上限を５度とした。また、底面境界ライン１１４部分の曲率半径についても同様である。
【００２４】
この実施例における平面スロットアンテナに対する、導波管型アンテナベース部鋳造用金型において、その導波管型アンテナベース部１００形成表面に、チタンなどの低摩擦部材をコーティングすると、金型・鋳物間の離形性を更に高めることができる。
【００２５】
【発明の効果】
以上説明したように本発明は、アンテナベース部の導波路の、底面と終端壁面との成す角度を、９０度プラス３〜５度とし、底面と両側壁面及び終端壁面との境界線部分の曲率半径を０．５〜２ｍｍとする、構造とし、このような構造が形成できるようにアンテナベース部鋳造用金型の、底面及び終端壁面形成部分の角度、並びに、底面形成部分と両側壁面及び終端壁面形成部分との境界線部分の曲率半径を、上記値とすることにより、アンテナベース部を鋳造する際の湯の収縮量が、特に導波管の長手方向に大きくなった場合でも、鋳物と金型との間の摩擦抵抗を小さくすることができて、金型に鋳物が残る危険性を低減し、かつ金型から鋳物を抜き出し易くすることができると同時に、その平面租度を設定値内に確保することができ、設定された良好な電気的特性を得ることができる、という効果がある。
【図面の簡単な説明】
【図１】本発明の一実施例を示す、平面スロットアンテナの導波管型アンテナベース部の、全体の斜視図、及びその部分拡大斜視図である。
【図２】図１に示された導波管型アンテナベース部を含む、平面スロットアンテナの分解斜視図である。
【図３】従来の平面スロットアンテナの一例を示す分解斜視図である。
【図４】図３に示された平面スロットアンテナの、導波管型アンテナベース部全体の斜視図、及びその部分拡大斜視図である。
【符号の説明】
１００，１００ｘ  導波管型アンテナベース部
１１０，１１０ｘ  導波路
１１１，１１１ｘ  底面
１１２，１１２ｘ  側壁面
１１３，１１３ｘ  終端壁面
１１４，１１４ｘ  底面境界ライン
１２０  ねじ穴
２００，２００ｘ  スリット板
２１０  スリット
２２０，２２０ｘ  終端スリット
２３０  ねじ穴
３００  止めねじ
【図１】
2005020526.tif 000003
【図２】
2005020526.tif 000004
【図３】
2005020526.tif 000005
【図４】
2005020526.tif 000006